【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
ある患者の少なくとも１つの二次副甲状腺機能亢進症（ＳＨＰＴ）リスク因子を決定するためのコンピュータ実装される方法であって、メモリとの通信状態にあるリスク評価コンピュータシステムを使用して実装され、
患者に関連する複数の人口統計データを受信するステップと、
患者に関連する腎臓濾過マーカの濃度を受信するステップと、
リスク評価コンピュータシステムによって、患者に関連する複数の人口統計データおよび腎臓濾過マーカの濃度に基づき、少なくとも１つの推定式を使用して、患者の少なくとも１つのＳＨＰＴリスク因子を決定するステップであって、ＳＨＰＴリスク因子が、患者がＳＨＰＴを有する可能性を示す、決定するステップと
を含む、方法。
【請求項２】
少なくとも１つの糸球体濾過量（ＧＦＲ）の第１の要求を受信するステップと、
少なくとも１つのＳＨＰＴリスク因子を決定するステップであって、少なくとも１つのＳＨＰＴリスク因子が、イオタラム酸ＧＦＲ（ｉＧＦＲ）および推定ＧＦＲ（ｅＧＦＲ）のうち少なくとも１つを含む、決定するステップと
をさらに含む、請求項１に記載の方法。
【請求項３】
副甲状腺ホルモン濃度（ＰＴＨ）の第２の要求を受信するステップと、
少なくとも１つのＳＨＰＴリスク因子を決定するステップであって、少なくとも１つのＳＨＰＴリスク因子が、推定されたＰＴＨ（ｅＰＴＨ）およびｙＰＴＨのうち少なくとも１つを含む、決定するステップと
をさらに含む、請求項１に記載の方法。
【請求項４】
信頼性分析への第３の要求を受信するステップであって、第３の要求が信頼性の確率値を含む、受信するステップと、
信頼性分析についての第３の応答を決定するステップであって、第３の応答が、信頼性の確率値に関連する少なくとも１つのＳＨＰＴリスク因子の値の範囲である、決定するステップと
をさらに含む、請求項１に記載の方法。
【請求項５】
コンピュータシステムによって、少なくとも１つのＳＨＰＴリスク因子の第１の予測値を受信するステップと、
閾値分析への第４の要求を受信するステップであって、第４の要求が第１の予測値を含む、受信するステップと、
閾値分析についての第４の応答を決定するステップであって、第４の応答が、少なくとも１つのＳＨＰＴリスク因子が第１の予測値を超えるか下回るかの閾値確率を含む、決定するステップと
をさらに含む、請求項１に記載の方法。
【請求項６】
それぞれの値にある確率を有する、少なくとも１つのＳＨＰＴリスク因子の複数の値を含むレポートを受信するステップ
をさらに含む、請求項１に記載の方法。
【請求項７】
患者に関連する複数の人口統計データを受信するステップが、
患者の性別、
患者の人種、および
患者が糖尿病であるかの指示
のうち少なくとも１つを受信するステップをさらに含む、請求項１に記載の方法。
【請求項８】
少なくとも１つのＳＨＰＴリスク因子を決定するステップが、
患者の糸球体濾過量計算値の対数、
患者の推定糸球体濾過量シミュレーションの対数、
少なくとも１つのＳＨＰＴリスク因子の期待値、
少なくとも１つのＳＨＰＴリスク因子の不確実性の計算値、および
少なくとも１つのＳＨＰＴリスク因子の閾値の計算値
のうち少なくとも１つを決定するステップをさらに含む、請求項１に記載の方法。
【請求項９】
少なくとも１つのＳＨＰＴリスク因子を決定するステップが、
患者の予測副甲状腺ホルモンレベル、
患者の推定副甲状腺ホルモンレベル、
患者についての期待値の計算値、
患者についての不確実性の計算値、および
患者についての閾値の計算値
のうち少なくとも１つを決定するステップをさらに含む、請求項１に記載の方法。
【請求項１０】
モバイルコンピューティング装置上の表示のために少なくとも１つのＳＨＰＴリスク因子を提供するステップをさらに含む、請求項１に記載の方法。
【請求項１１】
二次副甲状腺機能亢進症リスク因子を決定するためのリスク評価コンピュータシステムであって、リスク評価コンピュータシステムが、データを記憶するためのメモリと、メモリと通信状態にあるプロセッサとを含み、前記プロセッサが、
患者に関連する複数の人口統計データを受信するステップと、
患者に関連する腎臓濾過マーカの濃度を受信するステップと、
患者に関連する複数の人口統計データおよび腎臓濾過マーカの濃度に基づき、少なくとも１つの推定式を使用して、患者の少なくとも１つのＳＨＰＴリスク因子を決定するステップであって、ＳＨＰＴリスク因子が、患者がＳＨＰＴを有する可能性を示す、決定するステップと
を行うようにプログラムされる、リスク評価コンピュータシステム。
【請求項１２】
プロセッサが、
少なくとも１つの糸球体濾過量（ＧＦＲ）の計算への第１の要求を受信するステップと、
少なくとも１つのＳＨＰＴリスク因子を決定するステップであって、少なくとも１つのＳＨＰＴリスク因子が、イオタラム酸ＧＦＲ（ｉＧＦＲ）および推定ＧＦＲ（ｅＧＦＲ）のうち少なくとも１つを含む、決定するステップと
を行うようにさらにプログラムされる、請求項１１に記載のリスク評価コンピュータシステム。
【請求項１３】
プロセッサが、
副甲状腺ホルモン濃度（ＰＴＨ）の計算への第２の要求を受信するステップと、
少なくとも１つのＳＨＰＴリスク因子を決定するステップであって、少なくとも１つのＳＨＰＴリスク因子が、推定ＰＴＨ（ｅＰＴＨ）およびｙＰＴＨのうち少なくとも１つを含む、決定するステップと
を行うようにさらにプログラムされる、請求項１１に記載のリスク評価コンピュータシステム。
【請求項１４】
プロセッサが、
信頼性分析への第３の要求を受信するステップであって、第３の要求が信頼性確率値を含む、受信するステップと、
信頼性分析についての第３の応答を決定するステップであって、第３の応答が、信頼性確率値に関連する少なくとも１つのＳＨＰＴリスク因子の値の範囲である、決定するステップと
を行うようにさらにプログラムされる、請求項１１に記載のリスク評価コンピュータシステム。
【請求項１５】
プロセッサが、
少なくとも１つのＳＨＰＴリスク因子の第１の予測値を受信するステップと、
閾値分析への第４の要求を受信するステップとであって、第４の要求が第１の予測値を含む、受信するステップと、
閾値分析についての第４の応答を決定するステップであって、第４の応答が、少なくとも１つのＳＨＰＴリスク因子が第１の予測値を超えるか下回る閾値確率を含む、決定するステップと
を行うようにさらにプログラムされる、請求項１１に記載のリスク評価コンピュータシステム。
【請求項１６】
プロセッサが、
それぞれの値にある確率が関連している、少なくとも１つのＳＨＰＴリスク因子の複数の値を含むレポートを受信する
ようにさらに構成される、請求項１１に記載のリスク評価コンピュータシステム。
【請求項１７】
プロセッサが、
患者の性別、
患者の人種、および
患者が糖尿病であるかの指示
のうち少なくとも１つを受信するようにさらにプログラムされる、請求項１１に記載のリスク評価コンピュータシステム。
【請求項１８】
プロセッサが、
患者の糸球体濾過量計算値の対数、
患者の推定糸球体濾過量シミュレーションの対数、
少なくとも１つのＳＨＰＴリスク因子の期待値、
少なくとも１つのＳＨＰＴリスク因子の不確実性の計算値、および
少なくとも１つのＳＨＰＴリスク因子の閾値の計算値
のうち少なくとも１つを決定するようにさらにプログラムされる、請求項１１に記載のリスク評価コンピュータシステム。
【請求項１９】
プロセッサが、
患者の予測副甲状腺ホルモンレベル、
患者の推定副甲状腺ホルモンレベル、
患者についての期待値の計算値、
患者についての不確実性の計算値、および
患者についての閾値の計算値
のうち少なくとも１つを決定するようにさらにプログラムされる、請求項１１に記載のリスク評価コンピュータシステム。
【請求項２０】
プロセッサが、モバイルコンピューティング装置上の表示のために少なくとも１つのＳＨＰＴリスク因子を提供するようにさらにプログラムされる、請求項１１に記載のリスク評価コンピュータシステム。
【請求項２１】
二次副甲状腺機能亢進症（ＳＨＰＴ）リスク因子をモバイルコンピューティング装置上で決定するために、プロセッサ実行可能な命令を具体化してそこに有するコンピュータ可読ストレージ装置であって、モバイルコンピューティング装置が、少なくとも１つのプロセッサと、プロセッサに結合されたメモリとを含み、プロセッサ実行可能命令が、モバイルコンピューティング装置によって実行されると、モバイルコンピューティング装置に、
患者に関連する複数の人口統計データを受信するステップと、
患者に関連する腎臓濾過マーカの濃度を受信するステップと、
複数の人口統計データおよび腎臓濾過マーカの濃度をリスク評価コンピュータシステムに送信するステップと、
少なくとも１つのＳＨＰＴリスク因子を受信するステップと
を行わせる、コンピュータ可読ストレージ装置。
【請求項２２】
モバイルコンピューティング装置に関連するディスプレイに少なくとも１つのＳＨＰＴリスク因子を表示する
ようにさらに構成される、請求項２１に記載のコンピュータ可読ストレージ装置。
【請求項２３】
プロセッサ実行可能な命令が、
患者の性別、
患者の人種、および
患者が糖尿病であるかの指示、
のうち少なくとも１つをモバイルコンピューティング装置に受信させる、請求項２１に記載のコンピュータ可読ストレージ装置。
【請求項２４】
二次副甲状腺機能亢進症（ＳＨＰＴ）リスク因子をリスク評価コンピュータシステム上で決定するために、プロセッサ実行可能な命令を具体化してそこに有するコンピュータ可読ストレージ装置であって、リスク評価コンピュータシステムが、少なくとも１つのプロセッサと、プロセッサに結合されたメモリとを含み、プロセッサ実行可能命令が、リスク評価コンピュータシステムによって実行されると、リスク評価コンピュータシステムに、
患者に関連する複数の人口統計データを受信するステップと、
患者に関連する腎臓濾過マーカの濃度を受信するステップと、
患者に関連する複数の人口統計データおよび腎臓濾過マーカの濃度に基づき、少なくとも１つの推定式を使用して、患者の少なくとも１つのＳＨＰＴリスク因子を決定するステップであって、ＳＨＰＴリスク因子が、患者がＳＨＰＴを有する可能性を示す、決定するステップと
を行わせる、コンピュータ可読ストレージ装置。